(57)【要約】      （修正有）【課題】電子デバイスの製造に関し、メタライゼーション構造を形成するためにキャップおよび誘電体を備えた金属線を有する基板のための新規な洗浄溶液配合に関する。【解決手段】腐食防止剤と、可溶化剤と、脱酸素剤と、ｐとしても機能する錯化剤とを含む洗浄溶液。亦はｐＨ調整剤と、随意的な錯化剤と、腐食防止剤とを含む洗浄溶液。可溶化剤を好ましくは有してもよく、更に好ましくは界面活性剤を有してもよく、その上誘電体エッチャントを望ましくは有してもよい洗浄溶液。腐食防止剤がトルオールトリアゾール又はベンゾトリアゾールである、洗浄溶液。腐食防止剤がトリオールトアゾール又はベンゾトリアゾールを含むことが好ましく、その上、好ましくは０．１〜１００００ｐｐｍ更に好ましくは、１００〜２０００ｐｐｍのトリアゾール化合物を含有し、腐食防止剤が、０．１〜１００００ｐｐｍ、より好ましくは、１００〜２０００ｐｐｍである、洗浄液。【選択図】なし【特許請求の範囲】
【請求項１】
洗浄溶液であって、
腐食防止剤と、
可溶化剤と、
脱酸素剤と、
ｐＨ調整剤としても機能する錯化剤と、を含む、洗浄溶液。
【請求項２】
請求項１に記載の洗浄溶液であって、前記腐食防止剤はトリアゾール化合物である、洗浄溶液。
【請求項３】
請求項１に記載の洗浄溶液であって、前記腐食防止剤はトルオールトリアゾールまたはベンゾトリアゾールを含む、洗浄溶液。
【請求項４】
請求項１に記載の洗浄溶液であって、前記腐食防止剤は、０．１から１００００ｐｐｍまでの範囲およびその範囲に含まれるすべての部分範囲の濃度で存在する、洗浄溶液。
【請求項５】
請求項１に記載の洗浄溶液であって、前記腐食防止剤は、１００から２０００ｐｐｍまでの範囲およびその範囲に含まれるすべての部分範囲の濃度で存在する、洗浄溶液。
【請求項６】
請求項１に記載の洗浄溶液であって、前記腐食防止剤は、０．１から１００００ｐｐｍまでの範囲およびその範囲に含まれるすべての部分範囲の濃度のトリアゾール化合物を含む、洗浄溶液。
【請求項７】
請求項１に記載の洗浄溶液であって、前記腐食防止剤は、１００から２０００ｐｐｍまでの範囲およびその範囲に含まれるすべての部分範囲の濃度のトリアゾール化合物を含む、洗浄溶液。
【請求項８】
請求項１に記載の洗浄溶液であって、前記脱酸素剤は、Ｌ−アスコルビン酸、Ｄ−アスコルビン酸、アスコルビン酸の誘導体、クロロゲン酸、コーヒー酸、ルテオリン、亜硫酸塩、亜硫酸アンモニウム、および、亜硫酸テトラメチルアンモニウムのうちの１または複数を含む、洗浄溶液。
【請求項９】
請求項１に記載の洗浄溶液であって、前記腐食防止剤はトリアゾール化合物を含み、前記脱酸素剤はＬ−アスコルビン酸を含む、洗浄溶液。
【請求項１０】
請求項１に記載の洗浄溶液であって、前記腐食防止剤はトルオールトリアゾールまたはベンゾトリアゾールを含み、前記脱酸素剤はＬ−アスコルビン酸を含む、洗浄溶液。
【請求項１１】
請求項１に記載の洗浄溶液であって、前記腐食防止剤は、０．１から１００００ｐｐｍまでの範囲およびその範囲に含まれるすべての部分範囲の濃度のトリアゾール化合物を含み、前記脱酸素剤はＬ−アスコルビン酸を含む、洗浄溶液。
【請求項１２】
請求項１に記載の洗浄溶液であって、前記腐食防止剤は、１００から２０００ｐｐｍまでの範囲およびその範囲に含まれるすべての部分範囲の濃度のトリアゾール化合物を含み、前記脱酸素剤はＬ−アスコルビン酸を含む、洗浄溶液。
【請求項１３】
請求項１に記載の洗浄溶液であって、前記脱酸素剤は、０から１００００ｐｐｍまでの範囲およびその範囲に含まれるすべての部分範囲の濃度のＬ−アスコルビン酸を含む、洗浄溶液。
【請求項１４】
請求項１に記載の洗浄溶液であって、前記脱酸素剤は、１０００から５０００ｐｐｍまでの範囲およびその範囲に含まれるすべての部分範囲の濃度のＬ−アスコルビン酸を含む、洗浄溶液。
【請求項１５】
請求項１に記載の洗浄溶液であって、前記錯化剤は、シュウ酸、ピロリン酸、ヒドロキシエチリデンジホスホン酸、フィチン酸、マロン酸、マレイン酸、または、それらの混合物を含む、洗浄溶液。
【請求項１６】
請求項１に記載の洗浄溶液であって、前記可溶化剤は、第一級アルコール、第二級アルコール、第三級アルコール、ポリオール、エチレングリコール、プロピレングリコール、２−ｎ−ブトキシエタノール、ジメチルスルホキシド、プロピレンカーボネート、または、それらの組み合わせを含む、洗浄溶液。
【請求項１７】
請求項１に記載の洗浄溶液であって、前記可溶化剤はジメチルスルホキシドを含む、洗浄溶液。
【請求項１８】
請求項１に記載の洗浄溶液であって、前記可溶化剤はイソプロピルアルコールを含む、洗浄溶液。
【請求項１９】
請求項１に記載の洗浄溶液であって、
前記腐食防止剤はトリアゾール化合物を含み、
前記可溶化剤は、ジメチルスルホキシド、エチレングリコール、プロピレングリコール、２−ｎ−ブトキシエタノール、および、イソプロピルアルコールのうちの１または複数を含み、
前記脱酸素剤はＬ−アスコルビン酸を含み、
前記錯化剤はシュウ酸を含む、洗浄溶液。
【請求項２０】
請求項１に記載の洗浄溶液であって、前記腐食防止剤はトルオールトリアゾールまたはベンゾトリアゾールを含み；前記溶媒は、ジメチルスルホキシド、エチレングリコール、および、イソプロピルアルコールのうちの１または複数を含み；前記脱酸素剤はＬ−アスコルビン酸を含み；前記錯化剤はシュウ酸を含む、洗浄溶液。
【請求項２１】
請求項１に記載の洗浄溶液であって、前記腐食防止剤は、０．１から１００００ｐｐｍまでの範囲およびその範囲に含まれるすべての部分範囲の濃度のトリアゾール化合物を含み；前記脱酸素剤はＬ−アスコルビン酸を含み；前記錯化剤はシュウ酸を含む、洗浄溶液。
【請求項２２】
請求項１に記載の洗浄溶液であって、前記腐食防止剤は、１００から２０００ｐｐｍまでの範囲およびその範囲に含まれるすべての部分範囲の濃度のトリアゾール化合物を含み、前記脱酸素剤はＬ−アスコルビン酸を含み、前記錯化剤はシュウ酸を含む、洗浄溶液。
【請求項２３】
請求項１に記載の洗浄溶液であって、前記脱酸素剤は、０から１００００ｐｐｍまでの範囲およびその範囲に含まれるすべての部分範囲の濃度のＬ−アスコルビン酸を含み；前記錯化剤はシュウ酸を含む、洗浄溶液。
【請求項２４】
請求項１に記載の洗浄溶液であって、前記脱酸素剤は、１０００から５０００ｐｐｍまでの範囲およびその範囲に含まれるすべての部分範囲の濃度のＬ−アスコルビン酸を含み；前記錯化剤はシュウ酸を含む、洗浄溶液。
【請求項２５】
請求項１に記載の洗浄溶液であって、前記錯化剤は、シュウ酸、ピロリン酸、ヒドロキシエチリデンジホスホン酸、フィチン酸、マロン酸、マレイン酸、または、それらの混合物を、２から５０ｇ／Ｌの範囲およびその範囲に含まれるすべての部分範囲の濃度で含む、洗浄溶液。
【請求項２６】
請求項１に記載の洗浄溶液であって、
前記腐食防止剤は、０．１から１００００ｐｐｍまでの範囲およびその範囲に含まれるすべての部分範囲の濃度のトリアゾール化合物を含み、
前記可溶化剤は、ジメチルスルホキシド、エチレングリコール、および、イソプロピルアルコールのうちの１または複数を、２００ｍＬ／Ｌまでの濃度で含み、
前記脱酸素剤は、０から１００００ｐｐｍまでの範囲およびその範囲に含まれるすべての部分範囲の濃度のＬ−アスコルビン酸を含み、
前記錯化剤は、０．５から２０ｇ／Ｌまでの範囲およびその範囲に含まれるすべての部分範囲の濃度のシュウ酸を含む、洗浄溶液。
【請求項２７】
請求項１に記載の洗浄溶液であって、
前記腐食防止剤は、１００から２０００ｐｐｍまでの範囲およびその範囲に含まれるすべての部分範囲の濃度のトリアゾール化合物を含み、
前記可溶化剤は、ジメチルスルホキシド、エチレングリコール、および、イソプロピルアルコールのうちの１または複数を、１から２００ｍＬ／Ｌまでの範囲およびその範囲に含まれるすべての部分範囲の濃度で含み、
前記脱酸素剤は、１０００から５０００ｐｐｍの間の範囲およびその範囲に含まれるすべての部分範囲の濃度のＬ−アスコルビン酸を含み、
前記錯化剤は、０．５から２０ｇ／Ｌまでの範囲およびその範囲に含まれるすべての部分範囲の濃度のシュウ酸を含む、洗浄溶液。
【請求項２８】
請求項１に記載の洗浄溶液であって、
前記腐食防止剤は、１ｇ／Ｌの濃度の５−メチルベンゾトリアゾールを含み、
前記可溶化剤は、５０ｍＬ／Ｌの濃度のエチレングリコールを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
【請求項２９】
請求項１に記載の洗浄溶液であって、前記腐食防止剤はトリアゾール化合物であり、前記可溶化剤は、ジメチルスルホキシド、エチレングリコール、および、イソプロピルアルコールのうちの１または複数を含む、洗浄溶液。
【請求項３０】
請求項１に記載の洗浄溶液であって、前記腐食防止剤はトルオールトリアゾールまたはベンゾトリアゾールを含み、前記可溶化剤は、ジメチルスルホキシド、エチレングリコール、および、イソプロピルアルコールのうちの１または複数を含む、洗浄溶液。
【請求項３１】
請求項１に記載の洗浄溶液であって、前記腐食防止剤は、０．１から１００００ｐｐｍまでの範囲およびその範囲に含まれるすべての部分範囲の濃度で存在し、前記可溶化剤は、２００ｍＬ／Ｌまでの濃度で存在する、洗浄溶液。
【請求項３２】
請求項１に記載の洗浄溶液であって、前記腐食防止剤は、１００から２０００ｐｐｍまでの範囲およびその範囲に含まれるすべての部分範囲の濃度で存在し、前記可溶化剤は、１から２００ｍＬ／Ｌの範囲およびその範囲に含まれるすべての部分範囲の濃度で存在する、洗浄溶液。
【請求項３３】
請求項１に記載の洗浄溶液であって、前記腐食防止剤は、０．１から１００００ｐｐｍまでの範囲およびその範囲に含まれるすべての部分範囲の濃度のトリアゾール化合物を含み、前記可溶化剤は、ジメチルスルホキシド、エチレングリコール、および、イソプロピルアルコールのうちの１または複数を、５０ｍＬ／Ｌまでの濃度で含む、洗浄溶液。
【請求項３４】
請求項１に記載の洗浄溶液であって、前記腐食防止剤は、１００から２０００ｐｐｍまでの範囲およびその範囲に含まれるすべての部分範囲の濃度のトリアゾール化合物を含み、前記可溶化剤は、ジメチルスルホキシド、エチレングリコール、および、イソプロピルアルコールのうちの１または複数を、１から２００ｍＬ／Ｌまでの範囲およびその範囲に含まれるすべての部分範囲の濃度で含む、洗浄溶液。
【請求項３５】
請求項１に記載の洗浄溶液であって、
前記腐食防止剤は、１ｇ／Ｌの濃度の５−メチルベンゾトリアゾールを含み、
前記可溶化剤は、５０ｍＬ／Ｌの濃度のイソプロピルアルコールを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
【請求項３６】
請求項１に記載の洗浄溶液であって、
前記腐食防止剤は、１ｇ／Ｌの濃度の５−メチルベンゾトリアゾールを含み、
前記可溶化剤は、１０００ｍＬ／Ｌまでの濃度のジメチルスルホキシドを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
【請求項３７】
請求項１に記載の洗浄溶液であって、前記脱酸素剤は、Ｄ−アスコルビン酸、アスコルビン酸の誘導体、および／または、亜硫酸塩を含む、洗浄溶液。
【請求項３８】
洗浄溶液であって、
ｐＨ調整剤と、
錯化剤と、
腐食防止剤と、を含み、
前記洗浄溶液は、３以下のｐＨを有する、洗浄溶液。
【請求項３９】
請求項３８に記載の洗浄溶液であって、前記ｐＨは２以下である、洗浄溶液。
【請求項４０】
請求項３８に記載の洗浄溶液であって、さらに、可溶化剤を含む、洗浄溶液。
【請求項４１】
請求項３８に記載の洗浄溶液であって、さらに、前記腐食防止剤を可溶化することができる可溶化剤を含む、洗浄溶液。
【請求項４２】
請求項３８に記載の洗浄溶液であって、さらに、界面活性剤を含む、洗浄溶液。
【請求項４３】
請求項３８に記載の洗浄溶液であって、さらに、誘電体エッチャントを含む、洗浄溶液。
【請求項４４】
請求項３８に記載の洗浄溶液であって、さらに、可溶化剤および界面活性剤を含む、洗浄溶液。
【請求項４５】
請求項３８に記載の洗浄溶液であって、さらに、
可溶化剤、誘電体エッチャント、および、界面活性剤のうちの１または複数を含む、洗浄溶液。
【請求項４６】
請求項３８に記載の洗浄溶液であって、前記錯化剤は、カルボン酸、ヒドロキシカルボン酸、クエン酸、シュウ酸、ホスホン酸、ヒドロキシエチリデンジホスホン酸、フィチン酸、または、それらの混合物を含む、洗浄溶液。
【請求項４７】
請求項３８に記載の洗浄溶液であって、ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含む、洗浄溶液。
【請求項４８】
請求項３８に記載の洗浄溶液であって、前記ｐＨ調整剤は、２以下のｐＫaを有する１または複数の酸を含み、前記１または複数の酸は、前記洗浄溶液を３以下のｐＨに調整することができる、洗浄溶液。
【請求項４９】
請求項３８に記載の洗浄溶液であって、前記ｐＨ調整剤は、１．５以下のｐＫaを有する１または複数の酸を含み、前記１または複数の酸は、前記洗浄溶液を３以下のｐＨに調整することができる、洗浄溶液。
【請求項５０】
請求項３８に記載の洗浄溶液であって、前記腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせのうちの１または複数を含む、洗浄溶液。
【請求項５１】
請求項３８に記載の洗浄溶液であって、さらに、第一級アルコール、第二級アルコール、第三級アルコール、ポリオール、エチレングリコール、ジメチルスルホキシド、プロピレンカーボネート、および、それらの組み合わせからなる群より選択された可溶化剤を含む、洗浄溶液。
【請求項５２】
請求項３８に記載の洗浄溶液であって、さらに、エチレングリコールを含む、洗浄溶液。
【請求項５３】
請求項３８に記載の洗浄溶液であって、さらに、イソプロピルアルコールを含む、洗浄溶液。
【請求項５４】
請求項３８に記載の洗浄溶液であって、さらに、ジメチルスルホキシドを含む、洗浄溶液。
【請求項５５】
請求項３８に記載の洗浄溶液であって、さらに、陰イオン界面活性剤、陽イオン界面活性剤、非イオン界面活性剤、両性界面活性剤、および、それらの組み合わせからなる群より選択された界面活性剤を含む、洗浄溶液。
【請求項５６】
請求項３８に記載の洗浄溶液であって、さらに、硫酸塩および／またはスルホン酸塩を含む界面活性剤を含む、洗浄溶液。
【請求項５７】
請求項３８に記載の洗浄溶液であって、さらに、ケイ素酸素化合物をエッチングすることができる誘電体エッチャントを含む、洗浄溶液。
【請求項５８】
請求項３８に記載の洗浄溶液であって、さらに、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物からなる群より選択された誘電体エッチャントを含む、洗浄溶液。
【請求項５９】
洗浄水溶液であって、
ｐＨ調整剤と、
錯化剤と、
腐食防止剤と、
可溶化剤、誘電体エッチャント、および、界面活性剤のうちの１または複数と、を含む、洗浄水溶液。
【請求項６０】
請求項５９に記載の洗浄水溶液であって、前記ｐＨ調整剤は実質的に非錯化性である、洗浄水溶液。
【請求項６１】
請求項５９に記載の洗浄水溶液であって、前記ｐＨ調整剤は第１の酸を含み、前記錯化剤は第２の酸を含む、洗浄水溶液。
【請求項６２】
請求項５９に記載の洗浄水溶液であって、
前記ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、カルボン酸、ヒドロキシカルボン酸、クエン酸、シュウ酸、ホスホン酸、ヒドロキシエチリデンジホスホン酸、フィチン酸、または、それらの混合物を含む、洗浄水溶液。
【請求項６３】
請求項５９に記載の洗浄水溶液であって、前記ｐＨ調整剤は強酸を含む、洗浄水溶液。
【請求項６４】
請求項５９に記載の洗浄水溶液であって、
前記ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、カルボン酸、ヒドロキシカルボン酸、クエン酸、シュウ酸、ホスホン酸、ヒドロキシエチリデンジホスホン酸、フィチン酸、または、それらの混合物を含み、
前記腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み、
前記可溶化剤は、ジメチルスルホキシド、エチレングリコール、プロピレングリコール、２−ｎ−ブトキシエタノール、および、イソプロピルアルコールのうちの１または複数を含むものであり、
前記誘電体エッチャントは、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物のうちの１または複数を含むものであり、
前記界面活性剤は、陰イオン界面活性剤、陽イオン界面活性剤、非イオン界面活性剤、両性界面活性剤、または、それらの組み合わせを含むものであり、
前記洗浄水溶液は、３以下のｐＨを有する、洗浄水溶液。
【請求項６５】
請求項５９に記載の洗浄水溶液であって、
前記ｐＨ調整剤は、０から０．１Ｍの間の範囲およびその範囲に含まれるすべての範囲の濃度を有し、
前記錯化剤は、０．１から２００ｍＭの間の範囲およびその範囲に含まれるすべての範囲の濃度を有し、
前記腐食防止剤は、０．１から５０ｍＭの間の範囲およびその範囲に含まれるすべての範囲の濃度を有し、
前記可溶化剤は、０から２００ｍＬ／Ｌの間の範囲およびその範囲に含まれるすべての範囲の濃度を有し、
前記誘電体エッチャントは、１から１００ｍＭの間の範囲およびその範囲に含まれるすべての範囲の濃度を有し、
前記界面活性剤は、０から２０００ｐｐｍの間の範囲およびその範囲に含まれるすべての範囲の濃度を有し、
前記洗浄水溶液は、３以下のｐＨを有する、洗浄水溶液。
【請求項６６】
請求項５９に記載の洗浄水溶液であって、
前記ｐＨ調整剤は、０．１Ｍ未満の濃度を有し、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、０．１から２００ｍＭの濃度を有し、カルボン酸、ヒドロキシカルボン酸、クエン酸、シュウ酸、ホスホン酸、ヒドロキシエチリデンジホスホン酸、フィチン酸、または、それらの組み合わせを含み、
前記腐食防止剤は、０．１から５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、または、それらの組み合わせを含み、
前記可溶化剤は、２００ｍＬ／Ｌ未満の濃度で存在し、第一級アルコール、第二級アルコール、第三級アルコール、ポリオール、エチレングリコール、プロピレングリコール、２−ｎ−ブトキシエタノール、ジメチルスルホキシド、プロピレンカーボネート、および、それらの組み合わせのうちの１または複数を含むものであり、
前記誘電体エッチャントは、１から１００ｍＭの濃度で存在し、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物のうちの１または複数を含むものであり、
前記界面活性剤は、２０００ｐｐｍ未満の濃度で存在し、陰イオン界面活性剤、陽イオン界面活性剤、非イオン界面活性剤、両性界面活性剤、または、それらの組み合わせを含むものであり、
前記洗浄水溶液は、３以下のｐＨを有する、洗浄水溶液。
【発明の詳細な説明】
【技術分野】
【０００１】
本発明は、集積回路などの電子デバイスの製造に関し、特に、メタライゼーション構造を形成するためにキャップおよび誘電体を備えた金属線を有する基板のための洗浄溶液配合に関する。
【背景技術】
【０００２】
メタライゼーション構造のエレクトロマイグレーションおよびストレスマイグレーション特性を向上するために、電子デバイスにおいて無電解めっきキャップを用いることができる。無電解めっきプロセスは、湿式化学プロセスである。かかるプロセスは、基板を洗浄するために、湿式洗浄プロセスと共に用いられることが多い。多くの洗浄用途のための溶液が知られているが、本発明の発明者は、電子デバイスの製造のために基板を洗浄するのに適した新規および／または改良された洗浄溶液配合および方法の必要性を認識した。
【発明の概要】
【０００３】
本発明は、電子デバイスの製造に関する。本発明の一実施形態は、腐食防止剤と、可溶化剤と、脱酸素剤と、ｐＨ調整剤としても機能する錯化剤と、を含む洗浄溶液である。本発明の別の実施形態は、ｐＨ調整剤と、随意的な錯化剤と、腐食防止剤とを含んでよい洗浄溶液であり、洗浄溶液は、さらに、可溶化剤、誘電体エッチャント、および、界面活性剤のうちの１または複数を含んでもよい。
【０００４】
本発明は、その出願において、以下の説明に記載された構造の詳細および要素の構成に限定されないことを理解されたい。本発明は、他の実施形態も可能であり、様々な形態で実施および実行されることが可能である。さらに、本明細書で用いられている表現および用語は、説明を目的としたものであり、限定と見なされるべきではない。
【発明を実施するための形態】
【０００５】
以下に定義した用語に対して、特許請求の範囲または明細書の他の部分において異なる定義が与えられない限りは、これらの定義が適用されるべきである。すべての数値は、本明細書では、明示されているか否かにかかわらず、「約」という用語によって修飾されるものとして定義される。「約」という用語は、一般に、記載された値と等価であって、実質的に同じ特性、機能、結果などをもたらすと、当業者が考える数値の範囲を指す。低い値および高い値によって示される数値範囲は、その数値範囲内に含まれる数値すべてと、その数値範囲内に含まれる部分範囲すべてを含むものとして定義される。一例として、１０から１５の範囲は、１０、１０．１、１０．４７、１１、１１．７５から１２．２、１２．５、１３から１３．８、１４、１４．０２５、および、１５を含むが、これらに限定されない。
【０００６】
本発明は、導電性金属をキャップおよび誘電体と共に用いて、集積回路などの電子デバイスのためのダマシンメタライゼーション構造を形成する相互接続メタライゼーションに関する。より具体的には、本発明は、電子デバイス用の基板を洗浄するための洗浄溶液配合に向けられている。いくつかの応用例について、相互接続メタライゼーション層は、誘電体と、銅などの金属とを含む。
【０００７】
以下では、本発明の実施形態について、主に、集積回路の製造に用いられるシリコンウエハなどの半導体ウエハの処理との関連で説明する。集積回路用のメタライゼーション層は、ダマシンおよび／またはデュアルダマシン誘電体構造に形成される金属線用の銅を含む。銅金属線は、無電解めっきキャップを有する。いくつかの好ましいキャップは、コバルト合金、コバルト−タングステン合金、コバルト−タングステン−リン−ホウ素合金、コバルト−ニッケル合金、および、ニッケル合金などの多元素合金である。随意的に、誘電体は、炭素ドープ酸化シリコン（ＳｉＯＣ：Ｈ）などの低誘電率材料である。ただし、本発明に従った実施形態は、他の半導体デバイス、銅以外の金属、ニッケルおよび／またはコバルト以外の金属を用いたキャップ、および、半導体ウエハ以外のウエハに用いられてもよいことを理解されたい。
【０００８】
いくつかの用途について、本発明の実施形態に従った洗浄溶液は、キャップの蒸着後に基板を洗浄するために利用可能である。洗浄溶液は、キャップを設けられた銅相互接続構造の間の誘電体表面上に残ったイオンなどの汚染物質を除去することができる。かかる汚染物質の除去は、リーク電流特性の改善、電圧破壊特性の改善、および、時間依存絶縁破壊性能の改善などの結果を生じうる。
【０００９】
セクション１
本発明の一実施形態に従った洗浄溶液は、腐食防止剤と、可溶化剤と、脱酸素剤と、ｐＨ調整剤としても機能する錯化剤と、を含む。随意的に、本発明のいくつかの実施形態では、洗浄溶液は、水溶液である。しかし、本発明の他の実施形態は、水の代わりに非水液体が用いられた非水洗浄溶液であってもよい。
【００１０】
一般に、本発明の実施形態に従った洗浄溶液は、３以下のｐＨを有する。随意的に、洗浄溶液のｐＨは、いくつかの実施形態については２．５以下であってもよい。本発明の好ましい実施形態は、最大約２．３までのｐＨを有する洗浄溶液を含む。
【００１１】
腐食防止剤
上述したように、本発明の実施形態に従った洗浄溶液は、腐食防止剤を含む。随意的に、洗浄溶液は、２以上の腐食防止剤を含んでもよい。腐食防止剤の機能の一つは、洗浄溶液内でキャップを実質的に保護すること、すなわち、キャップの溶解を抑えることであってよい。いくつかの用途について、本発明の実施形態に従った洗浄溶液は、キャップの厚さをほとんどまたは実質的に全く減少させることなく基板を洗浄するよう構成される。その目的のために、１または複数の腐食防止剤が、本発明の実施形態に含まれてよい。
【００１２】
数多くの化合物が、本発明の実施形態に従った洗浄溶液中の腐食防止剤としての利用に適している。本発明の実施形態のための腐食防止剤のリストには、以下のものが含まれるが、これらに限定されない：トリアゾールと、ベンゾトリアゾール、メチルベンゾトリアゾール、５ーメチルベンゾトリアゾール（ケミカルアブストラクトサービス（ＣＡＳ）＃［１３６−８５−６］）、カルボキシベンゾトリアゾール、ヒドロキシベンゾトリアゾールなどのトリアゾール誘導体、および、メルカプトベンゾチアゾールのような誘導体；ポリビニルピロリドン；ポリビニルアルコールおよびその誘導体；ポリアミン；ポリイミン；ポリアルキルイミン；ポリエチレンイミン；長鎖アルキルアミン；テトラゾール；無機リン酸塩、アルキルリン酸塩、フルオロアルキルリン酸塩などを含むがこれらに限定されないリン酸塩；メタリン酸塩；亜リン酸塩；アルキルホスホン酸塩、フルオロアルキルホスホン酸塩などを含むがこれに限定されないホスホン酸塩；ケイ酸塩；アルコキシシラン；亜硝酸塩；ジシクロヘキシルアンモニウム亜硝酸塩；これらの誘導体；これらの混合物。
【００１３】
一般に、有効量の腐食防止剤が、洗浄溶液中に提供される。換言すると、洗浄溶液中の腐食防止剤の量は、洗浄溶液が、基板を洗浄すると共にキャップの腐食を十分に防止するのに有効であるように選択される。本発明のいくつかの実施形態について、洗浄溶液は、１または複数の腐食防止剤を含み、各腐食防止剤は、０．１から５０ミリモル（ｍＭ）の濃度範囲で洗浄溶液中に存在する。本発明の実施形態に従ったいくつかの洗浄溶液に対する選択肢として、腐食防止剤は、０．１から１００００パーツ・パー・ミリオン（ｐｐｍ）までの範囲の濃度、および、その範囲に含まれるすべての部分範囲の濃度で存在する。別の選択肢として、腐食防止剤は、１００から２０００ｐｐｍまでの範囲の濃度、および、その範囲に含まれるすべての部分範囲の濃度で存在する。
【００１４】
本発明の具体的な実施形態に従った洗浄溶液は、以下のものであるが、これらに限定されない。洗浄溶液であって、腐食防止剤はトリアゾール化合物である、洗浄溶液。洗浄溶液であって、腐食防止剤はトルオールトリアゾールまたはベンゾトリアゾールを含む、洗浄溶液。洗浄溶液であって、腐食防止剤は、０．１から１００００ｐｐｍまでの範囲およびその範囲に含まれるすべての部分範囲の濃度のトリアゾール化合物を含む、洗浄溶液。洗浄溶液であって、腐食防止剤は、１００から２０００ｐｐｍまでの範囲およびその範囲に含まれるすべての部分範囲の濃度のトリアゾール化合物を含む、洗浄溶液。
【００１５】
可溶化剤
一つの選択肢として、本発明のいくつかの実施形態は、１または複数の可溶化剤をさらに含む洗浄溶液を含みうる。本発明の実施形態における可溶化剤は、液体中に部分的にしか溶解しえない別の材料の液体内（水など）での溶解度を高める物質である。本発明のいくつかの実施形態のための可溶化剤は、腐食防止剤のうちの１または複数の溶解度を高めることによって単相の洗浄溶液を作り出すために提供されてよい。いくつかの状況に対して、可溶化剤は、水溶液である本発明の実地形態については腐食防止剤を水に可溶化するために提供されてよく、腐食防止剤は、水への溶解度が低いまたは不十分である。随意的に、可溶化剤は、基板表面からの有機汚染物質の除去に役立つような目的で含有されてもよい。
【００１６】
数多くの化合物が、本発明の実施形態の可溶化剤としての利用に適している。本発明の実施形態のための可溶化剤のリストには、以下のものが含まれるが、これらに限定されない：第一級アルコール；第二級アルコール；第三級アルコール；イソプロピルアルコール；ポリオール、グリコール、エチレングリコール（ＣＡＳ＃［１０７−２１−１］）、プロピレングリコール、２−ｎ−ブトキシエタノール、ジメチルスルホキシド（ＤＭＳＯ）、プロピレンカーボネートなど、複数のヒドロキシル基を有するアルコール；および、これらの組み合わせ。本発明のいくつかの実施形態は、洗浄溶液中に１または複数の可溶化剤を含んでよい。
【００１７】
本発明の実施形態は、有効量の可溶化剤を用いる。これは、洗浄溶液中に存在する可溶化剤の量が、単相溶液を生成するのに有効であることを意味する。具体的な量は、洗浄溶液に含まれる腐食防止剤の量および特性などの要素に依存する。いくつかの腐食防止剤は、可溶化剤の利用を必要としてよく、一方、他の腐食防止剤は、可溶化剤が洗浄溶液中に含まれる必要がないように、洗浄水溶液または他の非水洗浄溶液について水への溶解度が十分であってよい。本発明の１または複数の実施形態に従った洗浄水溶液について、可溶化剤の量は、洗浄溶液の０から約２００ミリリットル／洗浄溶液１リットル（ｍＬ／Ｌ）の濃度であってよい。
【００１８】
脱酸素剤
本発明のいくつかの実施形態に従った洗浄溶液は、１または複数の脱酸素剤を含む。脱酸素剤は、溶存酸素またはその他の酸化種を洗浄溶液から除去するために用いることができる化合物である。より具体的には、脱酸素剤は、洗浄溶液中の溶存酸素またはその他の酸化種を還元する。いくつかの用途について、溶存酸素量は、溶存酸素またはその他の酸化種によるキャップの酸化を実質的に防ぐために最小に維持される。
【００１９】
数多くの化合物が、溶存酸素およびその他の酸化種に対する脱酸素剤としての利用に適している。本発明の実施形態に対する脱酸素剤のリストは、以下を含むがこれらに限定されない：Ｌーアスコルビン酸（ＣＡＳ＃［５０−８１−７］）、Ｄ−アスコルビン酸、アスコルビン酸の誘導体、クロロゲン酸、コーヒー酸、ルテオリン、亜硫酸アンモニウムおよび亜硫酸テトラメチルアンモニウムなどを含むがこれらに限定されない亜硫酸塩、および、それらの組み合わせ。
【００２０】
一般に、有効量の１または複数の脱酸素剤が、本発明の実施形態に従った洗浄溶液に含まれる。本発明のいくつかの実施形態は、約０から１００００ｐｐｍの範囲およびその範囲に含まれるすべての部分範囲の量で洗浄溶液中に存在する１または複数の脱酸素剤を含む。別の実施形態において、脱酸素剤は、１０００から５０００ｐｐｍの範囲およびその範囲に含まれるすべての部分範囲の濃度で洗浄溶液中に存在する。本発明の１または複数の実施形態は、洗浄溶液中の溶存酸素の濃度を１ｐｐｍ未満に維持する。本発明のいくつかの実施形態において、有効量の１または複数の脱酸素剤を供給することにより、低レベルの溶存酸素が実現される。
【００２１】
本発明の具体的な実施形態に従った洗浄溶液は、以下のものであるが、これらに限定されない。洗浄溶液であって、脱酸素剤は、０から１００００ｐｐｍの範囲およびその範囲に含まれるすべての部分範囲の濃度のＬーアスコルビン酸を含む、洗浄溶液。洗浄溶液であって、脱酸素剤は、１０００から５０００ｐｐｍの範囲およびその範囲に含まれるすべての部分範囲の濃度のＬーアスコルビン酸を含む、洗浄溶液。
【００２２】
錯化剤／ｐＨ調整剤
本発明のいくつかの実施形態に従った洗浄溶液中の錯化剤は、金属イオンと錯体を形成することができるような官能基を有し、洗浄溶液のｐＨを調整することができるような１または複数の官能基をさらに有する。より具体的には、錯化剤は、洗浄溶液のｐＨを約３以下に維持するようなｐＨ調整剤としても機能することができる。本発明の実施形態に従った洗浄溶液のための錯化剤は、Ｌａｒｓ  Ｇｕｎｎａｒ  ＳｉｌｌｅｎおよびＡｒｔｈｕｒ  Ｅ．Ｍａｒｔｅｌｌによる「Ｓｔａｂｉｌｉｔｙ  Ｃｏｎｓｔａｎｔｓ  ｏｆ  Ｍｅｔａｌ−Ｉｏｎ  Ｃｏｍｐｌｅｘｅｓ：  Ｉｎｏｒｇａｎｉｃ  Ｌｉｇａｎｄｓ，  Ｏｒｇａｎｉｃ  Ｌｉｇａｎｄｓ；  ａｎｄ  Ｓｕｐｐｌｅｍｅｎｔ」、２巻セット（特別版第１７号および補遺版第１号）、１９７２年、に記載されており、これは、参照によって本明細書にその全体が組み込まれる。ｐＨ調整剤の機能を有しうる錯化剤のリストは、以下を含むがこれらに限定されない：シュウ酸（ＣＡＳ＃［６１５３−５６−６］）、ピロリン酸、ヒドロキシエチリデンジホスホン酸（ＣＡＳ＃［２８０９−２１−４］、エチドロン酸、エタン−１−ヒドロキシ−１，１−ジホスホン酸、または、ＨＥＤＰＡとも呼ばれる）、フィチン酸、マロン酸、マレイン酸、およびそれらの混合物。
【００２３】
一般に、本発明の実施形態に従った洗浄溶液は、基板の表面から除去された金属イオンと錯体を形成すると共にｐＨを所望のレベルに維持するようなｐＨ調整剤として機能することができる有効量の錯化剤を含む。必要とされる具体的な量は、錯化剤の特性に依存する。本発明のいくつかの実施形態について、錯化剤の量は、約０．１モル（Ｍ）未満の濃度、または、ポリマー酸の場合には約５０グラム／リットル（ｇ／Ｌ）未満である。
【００２４】
本発明の実施形態に従った洗浄溶液は、数多くの具体的な配合のうちの任意の１つを有してよい。洗浄溶液が、腐食防止剤と、可溶化剤と、脱酸素剤と、ｐＨ調整剤としても機能しうる錯化剤と、を含む本発明の実施形態に従った洗浄溶液のいくつかの任意選択の具体的な配合の例は、以下を含むがこれらに限定されない。
【００２５】
洗浄溶液であって、腐食防止剤はトリアゾール化合物を含み、脱酸素剤はＬ−アスコルビン酸を含む、洗浄溶液。洗浄溶液であって、腐食防止剤はトルオールトリアゾールまたはベンゾトリアゾールを含み、脱酸素剤はＬ−アスコルビン酸を含む、洗浄溶液。洗浄溶液であって、腐食防止剤は、０．１から１００００ｐｐｍまでの範囲およびその範囲に含まれるすべての部分範囲の濃度のトリアゾール化合物を含み、脱酸素剤はＬーアスコルビン酸を含む、洗浄溶液。洗浄溶液であって、腐食防止剤は、１００から２０００ｐｐｍまでの範囲およびその範囲に含まれるすべての部分範囲の濃度のトリアゾール化合物を含み、脱酸素剤はＬ−アスコルビン酸を含む、洗浄溶液。洗浄溶液であって、錯化剤は、シュウ酸、ピロリン酸、ヒドロキシエチリデンジホスホン酸、フィチン酸、マロン酸、マレイン酸、または、それらの混合物を含む、洗浄溶液。
【００２６】
洗浄溶液であって、可溶化剤は、第一級アルコール、第二級アルコール、第三級アルコール、ポリオール、エチレングリコール、プロピレングリコール、２−ｎ−ブトキシエタノール、ジメチルスルホキシド、プロピレンカーボネート、または、それらの組み合わせを含む、洗浄溶液。洗浄溶液であって、可溶化剤はジメチルスルホキシドを含む、洗浄溶液。洗浄溶液であって、可溶化剤はイソプロピルアルコールを含む、洗浄溶液。
【００２７】
洗浄溶液であって、腐食防止剤はトリアゾール化合物を含み；可溶化剤は、ジメチルスルホキシド、エチレングリコール、および、イソプロピルアルコールのうちの１または複数を含み；脱酸素剤はＬ−アスコルビン酸を含み；錯化剤は、シュウ酸、ピロリン酸、ヒドロキシエチリデンジホスホン酸、フィチン酸、マロン酸、マレイン酸、または、それらの混合物を含む、洗浄溶液。洗浄溶液であって、腐食防止剤はトルオールトリアゾールまたはベンゾトリアゾールを含み；溶媒は、ジメチルスルホキシド、エチレングリコール、および、イソプロピルアルコールのうちの１または複数を含み；脱酸素剤はＬ−アスコルビン酸を含み；錯化剤はシュウ酸を含む、洗浄溶液。洗浄溶液であって、腐食防止剤は、０．１から１００００ｐｐｍまでの範囲およびその範囲に含まれるすべての部分範囲の濃度のトリアゾール化合物を含み；脱酸素剤はＬ−アスコルビン酸を含み；錯化剤はシュウ酸を含む、洗浄溶液。洗浄溶液であって、腐食防止剤は、１００から２０００ｐｐｍまでの範囲およびその範囲に含まれるすべての部分範囲の濃度のトリアゾール化合物を含み；脱酸素剤はＬ−アスコルビン酸を含み；錯化剤はシュウ酸を含む、洗浄溶液。
【００２８】
洗浄溶液であって、脱酸素剤は、０から１００００ｐｐｍまでの範囲およびその範囲に含まれるすべての部分範囲の濃度のＬ−アスコルビン酸を含み；錯化剤はシュウ酸を含む、洗浄溶液。洗浄溶液であって、脱酸素剤は、１０００から５０００ｐｐｍまでの範囲およびその範囲に含まれるすべての部分範囲の濃度のＬ−アスコルビン酸を含み；錯化剤はシュウ酸を含む、洗浄溶液。
【００２９】
洗浄溶液であって、錯化剤は、シュウ酸、ピロリン酸、ヒドロキシエチリデンジホスホン酸、フィチン酸、マロン酸、マレイン酸、または、それらの混合物を、約２ｇ／Ｌから約５０ｇ／Ｌまでの範囲およびその範囲に含まれるすべての部分範囲の濃度で含む、洗浄溶液。洗浄溶液であって、腐食防止剤は、約０．１から約１００００ｐｐｍまでの範囲およびその範囲に含まれるすべての部分範囲の濃度のトリアゾール化合物を含み；可溶化剤は、ジメチルスルホキシド、エチレングリコール、プロピレングリコール、２−ｎーブトキシエタノール、および、イソプロピルアルコールのうちの１または複数を、約２００ｍＬ／Ｌまでの濃度で含み；脱酸素剤は、０から約１００００ｐｐｍまでの範囲およびその範囲に含まれるすべての部分範囲の濃度のＬ−アスコルビン酸を含み；錯化剤は、シュウ酸を、約０．５から約２０ｇ／Ｌまでの範囲およびその範囲に含まれるすべての部分範囲の濃度で含む、洗浄溶液。
【００３０】
洗浄溶液であって、腐食防止剤は、約１００から約２０００ｐｐｍまでの範囲およびその範囲に含まれるすべての部分範囲の濃度のトリアゾール化合物を含み；可溶化剤は、ジメチルスルホキシド、エチレングリコール、および、イソプロピルアルコールのうちの１または複数を、約１ｍＬ／Ｌから約２００ｍＬ／Ｌまでの範囲およびその範囲に含まれるすべての部分範囲の濃度で含み；脱酸素剤は、約１０００から約５０００ｐｐｍまでの範囲およびその範囲に含まれるすべての部分範囲の濃度のＬ−アスコルビン酸を含み；錯化剤は、約０．５から約２０ｇ／Ｌまでの範囲およびその範囲に含まれるすべての部分範囲の濃度のシュウ酸を含む、洗浄溶液。
【００３１】
洗浄溶液であって、腐食防止剤は、約１ｇ／Ｌの濃度の５−メチルベンゾトリアゾールを含み；可溶化剤は、約５０ｍＬ／Ｌの濃度のエチレングリコールを含み；脱酸素剤は、約１ｇ／Ｌの濃度のＬ（＋）−アスコルビン酸を含み；錯化剤は、約１０ｇ／Ｌの濃度のシュウ酸二水和物を含む、洗浄溶液。洗浄溶液であって、腐食防止剤はトリアゾール化合物であり、可溶化剤は、ジメチルスルホキシド、エチレングリコール、および、イソプロピルアルコールのうちの１または複数を含む、洗浄溶液。
【００３２】
洗浄溶液であって、腐食防止剤はトルオールトリアゾールまたはベンゾトリアゾールを含み、可溶化剤は、ジメチルスルホキシド、エチレングリコール、および、イソプロピルアルコールのうちの１または複数を含む、洗浄溶液。洗浄溶液であって、腐食防止剤は、約０．１から約１００００ｐｐｍまでの範囲およびその範囲に含まれるすべての部分範囲の濃度で存在し、可溶化剤は、約２００ｍＬ／Ｌまでの濃度で存在する、洗浄溶液。洗浄溶液であって、腐食防止剤は、約１００から約２０００ｐｐｍまでの範囲およびその範囲に含まれるすべての部分範囲の濃度で存在し、可溶化剤は、約１ｍＬ／Ｌから約２００ｍＬ／Ｌまでの範囲およびその範囲に含まれるすべての部分範囲の濃度で存在する、洗浄溶液。洗浄溶液であって、腐食防止剤は、０．１から１００００ｐｐｍまでの範囲およびその範囲に含まれるすべての部分範囲の濃度のトリアゾール化合物を含み、可溶化剤は、ジメチルスルホキシド、エチレングリコール、および、イソプロピルアルコールのうちの１または複数を、約２００ｍＬ／Ｌまでの濃度で含む、洗浄溶液。洗浄溶液であって、腐食防止剤は、１００から２０００ｐｐｍまでの範囲およびその範囲に含まれるすべての部分範囲の濃度のトリアゾール化合物を含み、可溶化剤は、ジメチルスルホキシド、エチレングリコール、および、イソプロピルアルコールのうちの１または複数を、約１ｍＬ／Ｌから約２００ｍＬ／Ｌまでの範囲およびその範囲に含まれるすべての部分範囲の濃度で含む、洗浄溶液。
【００３３】
洗浄溶液であって、腐食防止剤は、約１ｇ／Ｌの濃度の５−メチルベンゾトリアゾールを含み；可溶化剤は、約５０ｍＬ／Ｌの濃度のイソプロピルアルコールを含み；脱酸素剤は、約１ｇ／Ｌの濃度のＬ（＋）−アスコルビン酸を含み；錯化剤は、約１０ｇ／Ｌの濃度のシュウ酸二水和物を含む、洗浄溶液。洗浄溶液であって、腐食防止剤は、約１ｇ／Ｌの濃度の５−メチルベンゾトリアゾールを含み；可溶化剤は、約１０００ｍＬ／Ｌまでの濃度のジメチルスルホキシドを含み；脱酸素剤は、約１ｇ／Ｌの濃度のＬ（＋）−アスコルビン酸を含み；錯化剤は、約１０ｇ／Ｌの濃度のシュウ酸二水和物を含む、洗浄溶液。洗浄溶液であって、脱酸素剤は、Ｄ−アスコルビン酸、アスコルビン酸の誘導体、および／または、亜硫酸アンモニウムおよび亜硫酸テトラメチルアンモニウムなどを含むがこれらに限定されない亜硫酸塩を含む、洗浄溶液。
【００３４】
本発明の一実施形態によると、洗浄溶液は、可溶化剤として約２０ｍＬ／Ｌのジメチルスルホキシドを含む。本発明のいくつかの実施形態に対する１つの選択肢として、洗浄溶液は、ジメチルスルホキシドなどの非水溶媒を含む非水溶液であってよい。より具体的には、洗浄溶液は、腐食防止剤、脱酸素剤、および、錯化剤が溶解したジメチルスルホキシドなどの非水溶媒を含んでよい。
【００３５】
セクション２
ここで、本発明の他の実施形態に従った洗浄溶液の配合のリストを示す表１について説明する。洗浄溶液は、表１に示すものを含むがこれらに限定されない。洗浄溶液は、ｐＨ調整剤、随意的な錯化剤、および、腐食防止剤を含んでよい。表１は、さらに、洗浄溶液が、可溶化剤を随意的に有してよく、界面活性剤を随意的に有してよく、誘電体エッチャントを随意的に有してよいことを示している。
【表１】
2017025326.tif 000002
【００３６】
本発明のいくつかの実施形態に対する一つの選択肢として、洗浄溶液は、洗浄溶液の主な成分として水を有する水溶液であってよい。ただし、本発明の他の実施形態は、非水溶液の洗浄溶液であってもよく、その場合、溶液の主な成分は非水液体溶媒であってよい。
【００３７】
一般に、本発明の実施形態に従った洗浄溶液は、３以下のｐＨを有する。随意的に、洗浄溶液のｐＨは、いくつかの実施形態については２以下であってもよい。本発明の好ましい実施形態は、最大約２．３までのｐＨを有する洗浄溶液を含む。
【００３８】
ｐＨ調整剤
本発明のいくつかの実施形態に従った洗浄溶液中のｐＨ調整剤は、洗浄溶液のｐＨを約３未満の所望のレベルに維持することができるような官能基を有する。本発明の具体的な実施形態について、これは、ｐＨ調整剤が、酸性洗浄溶液を生成するために官能基を有することを意味しうる。随意的に、ｐＨ調整剤は、錯化剤として機能してもよい。
【００３９】
本発明の実施形態のためのｐＨ調整剤のリストは、以下を含むがこれらに限定されない：硫酸；メタンスルホン酸、ベンゼンスルホン酸、およびトリフル酸などを含むがこれらに限定されないスルホン酸；次亜リン酸；シュウ酸；トリフルオロ酢酸を含むがこれに限定されないハロゲン化カルボン酸；アセチレンジカルボン酸；スクアリン酸；ジヒドロキシフマル酸；マレイン酸；および、それらの混合物。一つの選択肢として、ｐＨ調整剤は、２以下のｐＫaを有する１または複数の酸を含んでよく、ｐＫaは、酸解離定数Ｋaの負の対数であり、１または複数の酸は、洗浄溶液を３以下の所望の酸性ｐＨに調整することができる。あるいは、ｐＨ調整剤は、１．５以下のｐＫaを有する１または複数の酸を含んでもよく、１または複数の酸は、洗浄溶液を３以下の所望の酸性ｐＨに調整することができる。
【００４０】
一般に、本発明の実施形態に従った洗浄溶液は、ｐＨを所望のレベルに維持するために、有効量のｐＨ調整剤を含む。必要とされる具体的な量は、ｐＨ調整剤の特性に依存する。本発明のいくつかの実施形態について、錯化剤の量は、約０Ｍから約０．１Ｍの濃度、または、ポリマー酸の場合には５０ｇ／Ｌである。
【００４１】
錯化剤
本発明のいくつかの実施形態に従った洗浄溶液中の錯化剤は、金属イオンと錯体を形成することができるような官能基を有する。本発明の実施形態に従った洗浄溶液のための錯化剤は、Ｌａｒｓ  Ｇｕｎｎａｒ  ＳｉｌｌｅｎおよびＡｒｔｈｕｒ  Ｅ．Ｍａｒｔｅｌｌによる「Ｓｔａｂｉｌｉｔｙ  Ｃｏｎｓｔａｎｔｓ  ｏｆ  Ｍｅｔａｌ−Ｉｏｎ  Ｃｏｍｐｌｅｘｅｓ：  Ｉｎｏｒｇａｎｉｃ  Ｌｉｇａｎｄｓ，  Ｏｒｇａｎｉｃ  Ｌｉｇａｎｄｓ；  ａｎｄ  Ｓｕｐｐｌｅｍｅｎｔ」、２巻セット（特別版第１７号および補遺版第１号）、１９７２年、に記載されており、これは、参照によって本明細書にその全体が組み込まれる。数多くの化合物が、本発明の実施形態の錯化剤としての利用に適している。本発明の実施形態のための錯化剤のリストは、以下を含むがこれらに限定されない：カルボン酸；ヒドロキシカルボン酸；クエン酸；シュウ酸；ヒドロキシエチリデンジホスホン酸などを含むがこれに限定されないホスホン酸；フィチン酸；および、それらの組み合わせ。一般に、本発明の実施形態に従った洗浄溶液は、基板の表面から除去された金属イオンと錯体を形成することができる有効量の錯化剤を含む。本発明のいくつかの実施形態は、各錯化剤について約０．１ｍＭから２００ｍＭの濃度範囲で洗浄溶液中に存在する１または複数の錯化剤を含む。
【００４２】
腐食防止剤
表１に示したような本発明の実施形態のための洗浄溶液中の腐食防止剤は、セクション１で上述した腐食防止剤と基本的に同じものである。
【００４３】
可溶化剤
表１に示したような本発明の実施形態のための洗浄溶液中の可溶化剤は、セクション１で上述した可溶化剤と基本的に同じものである。
【００４４】
界面活性剤
一つの選択肢として、本発明のいくつかの実施形態に従った洗浄溶液は、１または複数の界面活性剤すなわち表面活性剤を含んでもよい。界面活性剤は、洗浄中に基板の十分な湿潤状態を維持するために含有される。基板の誘電体領域が湿潤されると共に、基板のキャップ領域が湿潤されるように、基板の表面全体が洗浄溶液によって十分に湿潤されることが好ましい。
【００４５】
数多くの化合物が、本発明の実施形態の界面活性剤としての利用に適している。本発明の実施形態のための界面活性剤のリストは、以下を含むがこれらに限定されない：陰イオン界面活性剤；陽イオン界面活性剤；非イオン界面活性剤；両性界面活性剤；および、それらの組み合わせ。本発明のいくつかの実施形態のための陰イオン界面活性剤の一部は、硫酸基またはスルホン酸基を頭部基として有する界面活性剤である。本発明のいくつかの一実施形態に従った洗浄溶液は、各界面活性剤について配合の活性成分に対して約０ｐｐｍから約２０００ｐｐｍの範囲の量で存在する１または複数の界面活性剤を含む。界面活性剤の分子量は、既知であるとは限らない。
【００４６】
誘電体エッチャント
一つの選択肢として、本発明のいくつかの実施形態に従った洗浄溶液は、１または複数の誘電体エッチャントを含んでもよい。誘電体エッチャントは、洗浄溶液によって洗浄される基板の誘電体層をエッチングすることができる洗浄溶液の成分である。誘電体エッチャントは、基板からの汚染物質の除去を円滑にするために提供される。上述のように、誘電体層は、通例、電子デバイス製造で利用される誘電体である。典型的な誘電体層は、ケイ素および酸素を含む。本発明の１または複数の実施形態は、炭素ドープ酸化ケイ素などの低誘電体のための誘電体エッチャントを含む。本発明の実施形態のための誘電体エッチャントのリストは、以下を含むがこれらに限定されない：フッ化水素、テトラフルオロホウ酸水素、ヘキサフルオロケイ酸水素、非アルカリ金属フッ化物、テトラフルオロホウ酸塩、および、ヘキサフルオロケイ酸塩などの化合物。
【００４７】
随意的に、誘電体エッチャントの選択および洗浄溶液内での濃度の選択は、誘電体層における特定量の金属汚染された表面の除去を制御するためのパラメータとして利用できる。本発明のいくつかの実施形態について、洗浄溶液中の誘電体エッチャントの量は、１ｍＭから１００ｍＭの範囲である。
【００４８】
本発明の実施形態に従った洗浄溶液は、数多くの具体的な配合のうちの任意の１つを有してよい。洗浄溶液が、ｐＨ調整剤と、随意的な錯化剤と、腐食防止剤とを含む本発明の実施形態に従った洗浄溶液のいくつかの任意選択の具体的な配合の例は、以下を含むがこれらに限定されない。
【００４９】
洗浄溶液であって、さらに、腐食防止剤を可溶化することができる可溶化剤を含む、洗浄溶液。洗浄溶液であって、さらに、可溶化剤と界面活性剤とを含む、洗浄溶液。洗浄溶液であって、さらに、可溶化剤、誘電体エッチャント、および、界面活性剤のうちの１または複数を含む、洗浄溶液。洗浄溶液であって、さらに、第一級アルコール、第二級アルコール、第三級アルコール、ポリオール、エチレングリコール、プロピレングリコール、２−ｎ−ブトキシエタノール、ジメチルスルホキシド、プロピレンカーボネート、および、それらの組み合わせからなる群より選択された可溶化剤を含む、洗浄溶液。洗浄溶液であって、さらに、エチレングリコールを含む、洗浄溶液。洗浄溶液であって、さらに、イソプロピルアルコールを含む、洗浄溶液。洗浄溶液であって、さらに、ジメチルスルホキシドを含む、洗浄溶液。洗浄溶液であって、錯化剤は、シュウ酸、クエン酸、ヒドロキシエチリデンジホスホン酸、または、それらの混合物を含む、洗浄溶液。
【００５０】
洗浄溶液であって、腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、これらの誘導体、および、これらの組み合わせのうちの１または複数を含む、洗浄溶液。
【００５１】
洗浄溶液であって、界面活性剤は、陰イオン界面活性剤、陽イオン界面活性剤、非イオン界面活性剤、両性界面活性剤、または、それらの組み合わせを含む、洗浄溶液。洗浄溶液であって、界面活性剤は、硫酸塩および／またはスルホン酸塩を含む、洗浄溶液。
【００５２】
洗浄溶液であって、誘電体エッチャントは、ケイ素酸素化合物をエッチングする、洗浄溶液。洗浄溶液であって、誘電体エッチャントは、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物のうちの１または複数を含む、洗浄溶液。
【００５３】
洗浄溶液が、ｐＨ調整剤と、随意的な錯化剤と、腐食防止剤と、可溶化剤、誘電体エッチャント、および、界面活性剤のうちの１または複数とを含む本発明の実施形態に従った洗浄溶液のいくつかの任意選択の具体的な配合の例は、以下を含むがこれらに限定されない。
【００５４】
洗浄水溶液であって、ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み；錯化剤は、シュウ酸、クエン酸、ヒドロキシエチリデンジホスホン酸、フィチン酸、または、それらの混合物を含み；腐食防止剤は、トリアゾール、ベンゾトリアゾール、メチルベンゾトリアゾール、５ーメチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み；可溶化剤は、ジメチルスルホキシド、エチレングリコール、および、イソプロピルアルコールのうちの１または複数を含み；誘電体エッチャントは、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物のうちの１または複数を含み；界面活性剤は、陰イオン界面活性剤、陽イオン界面活性剤、非イオン界面活性剤、両性界面活性剤、または、それらの組み合わせを含み；洗浄水溶液は、３以下のｐＨを有する、洗浄水溶液。
【００５５】
洗浄水溶液であって、ｐＨ調整剤は、約０Ｍから約０．１Ｍの範囲およびその範囲に含まれるすべての範囲の濃度を有し；錯化剤は、約０．１ｍＭから約２００ｍＭの範囲およびその範囲に含まれるすべての範囲の濃度を有し；腐食防止剤は、約０．１ｍＭから約５０ｍＭの範囲およびその範囲に含まれるすべての範囲の濃度を有し；可溶化剤は、約０ｍＬ／Ｌから約２００ｍＬ／Ｌの範囲およびその範囲に含まれるすべての範囲の濃度を有し；誘電体エッチャントは、約１ｍＭから約１００ｍＭの範囲およびその範囲に含まれるすべての範囲の濃度を有し；界面活性剤は、約０ｐｐｍから約２０００ｐｐｍの範囲およびその範囲に含まれるすべての範囲の濃度を有し；洗浄水溶液は、３以下のｐＨを有する、洗浄水溶液。
【００５６】
洗浄水溶液であって、ｐＨ調整剤は、約０．１Ｍ未満の濃度を有し、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み；錯化剤は、約０．１ｍＭから約２００ｍＭの濃度を有し、カルボン酸、ヒドロキシカルボン酸、クエン酸、シュウ酸、ホスホン酸、ヒドロキシエチリデンジホスホン酸、フィチン酸、および、それらの組み合わせを含み；腐食防止剤は、約０．１Ｍから約５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み；可溶化剤は、２００ｍＬ／Ｌ未満の濃度を有し、第一級アルコール、第二級アルコール、第三級アルコール、ポリオール、エチレングリコール、プロピレングリコール、２−ｎ−ブトキシエタノール、ジメチルスルホキシド、プロピレンカーボネート、および、それらの組み合わせのうちの１または複数を含み；誘電体エッチャントは、約１ｍＭから約１００ｍＭの濃度を有し、フッ化水素、テトラフルオロホウ酸水素、ヘキサフルオロケイ酸水素、非アルカリ金属フッ化物、テトラフルオロホウ酸塩、ヘキサフルオロケイ酸塩、および、それらの混合物のうちの１または複数を含み；界面活性剤は、約２０００ｐｐｍ未満の濃度を有し、陰イオン界面活性剤、陽イオン界面活性剤、非イオン界面活性剤、両性界面活性剤、または、それらの組み合わせを含み；洗浄水溶液は、３以下のｐＨを有する、洗浄水溶液。
【００５７】
ここで、本発明の実施形態に従ったいくつかの随意的な洗浄溶液を示す表２について説明する。一般に、表２の洗浄溶液は、腐食防止剤と、表２にＡ１で示す錯化剤と、表２にＡ２で示すｐＨ調整剤とを含む。錯化剤Ａ１は酸であり、ｐＨ調整剤の特性を有してもよい。ｐＨ調整剤Ａ２も酸である。本発明のいくつかの実施形態について、ｐＨ調整剤Ａ２は強酸である。ｐＨ調整剤Ａ２は、実質的に非錯化性であり、実質的に非酸化性であることが好ましい。また、ｐＨ調整剤Ａ２は、洗浄溶液のいくつかの用途については、非ハロゲン化物酸であることが好ましい。洗浄溶液は、随意的に可溶化剤および／または随意的に界面活性剤を含んでもよい。いくつかの実施形態について、洗浄溶液は、約３未満のｐＨを有する。随意的に、ｐＨは、約２未満であってもよい。
【表２】
2017025326.tif 000003
【００５８】
表２に示した本発明の実施形態に従った洗浄溶液のいくつかの随意的な具体的配合の例は、以下を含むがこれらに限定されない。洗浄水溶液であって、ｐＨ調整剤は実質的に非錯化性である、洗浄水溶液。洗浄水溶液であって、ｐＨ調整剤は第１の酸を含み、錯化剤は第２の酸を含む、洗浄水溶液。洗浄水溶液であって、ｐＨ調整剤は強酸を含む、洗浄水溶液。洗浄水溶液であって、ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み；錯化剤は、シュウ酸、クエン酸、ヒドロキシエチリデンジホスホン酸、または、それらの混合物を含む、洗浄水溶液。
【００５９】
一つの選択肢として、本発明の実施形態に従った洗浄溶液を用いて基板を洗浄する処理は、ブラシを用いて洗浄溶液を基板に塗布することによって実行されてよい。あるいは、処理は、基板を洗浄溶液内に浸漬する、洗浄溶液で基板をリンスする、洗浄溶液を基板上に噴霧する、近接ヘッドを用いて洗浄溶液を供給するなどの方法によって、洗浄溶液を基板に供給することにより実行されてもよい。本発明の実施形態に従った洗浄溶液の洗浄効率は、洗浄中に超音波またはメガソニックエネルギを基板に印加するなどの処理を用いることにより、および／または、洗浄中に温度を上昇させることにより、さらに高めることができる。いくつかの用途について、洗浄溶液は、約５℃から約９０℃の範囲の温度で用いられる。本発明の実施形態に従った洗浄溶液は、キャップ層の蒸着後に基板を洗浄するために利用可能である。
【００６０】
本明細書では、具体的な実施形態を参照しつつ、本発明を説明している。しかしながら、当業者は、以下の特許請求の範囲に記載の本発明の範囲から逸脱することなく、様々な変形例および変更例が可能であることを理解すべきである。したがって、本明細書は、例示を目的としたものであり、限定を意図したものではないと見なされるべきであり、かかる変形例すべてが、本発明の範囲に含まれるよう意図されている。
【００６１】
利益、その他の利点、および、課題の解決法について、具体的な実施形態に関連して上述した。しかしながら、それらの利益、利点、課題の解決法、ならびに、任意の利益、利点、または、解決法を生じさせるもしくはより顕著にさせうる任意の要素は、任意またはすべての請求項の重要、必要、または必須の特徴または要素として解釈されない。
【００６２】
本明細書では、「備える」、「備えた」、「含む」、「含んだ」、「有する」、「有した」、「のうちの少なくとも１つ」のような用語、または、それらのあらゆる変化形は、非排他的な包含を網羅するよう意図されている。例えば、要素のリストを備える処理、方法、物品、または装置は、それらの要素だけに限定されず、リストに明示されていないかまたはかかる処理、方法、物品、または装置に固有の他の要素をも含みうる。さらに、特に明示しない限り、「または（ｏｒ）」という語は、排他的な「または」ではなく、包括的（非排他的）な「または」を表す。例えば、条件ＡまたはＢは、以下のいずれによっても満たされる。Ａが真（または存在する）かつＢが偽（または存在しない）；Ａが偽（または存在しない）かつＢが真（または存在する）；ＡとＢの両方が真（または存在する）。
【誤訳訂正書】
【提出日】平成28年9月20日(2016.9.20)
【誤訳訂正１】
【訂正対象書類名】特許請求の範囲
【訂正対象項目名】全文
【訂正方法】変更
【訂正の内容】
【特許請求の範囲】
【請求項１】
コバルトまたはコバルト合金キャップを誘電体構造の金属線に無電解に蒸着した後に、前記無電解蒸着されたコバルトまたはコバルト合金キャップ付き前記誘電体構造から金属汚染物質を除去するための洗浄水溶液であって、
ｐＨ調整剤と、
フィチン酸を含む錯化剤と、
前記誘電体構造における金属線上に無電解蒸着されたコバルトまたはコバルト合金キャップを保護することができる腐食防止剤と、
１または複数の
可溶化剤と、
誘電体エッチャントと、
界面活性剤と、を含み、
前記洗浄水溶液は、前記誘電体構造から金属イオンを除去することができ、
前記ｐＨ調整剤は、０．１Ｍ未満の濃度を有し、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物のうちの少なくとも１つを含み、
前記錯化剤は、０．１から２００ｍＭの濃度を有し、
前記腐食防止剤は、０．１から５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、または、それらの組み合わせのうちの少なくとも１つを含み、
前記可溶化剤は、２００ｍＬ／Ｌ未満の濃度で存在し、第一級アルコール、第二級アルコール、第三級アルコール、ポリオール、エチレングリコール、プロピレングリコール、２−ｎ−ブトキシエタノール、ジメチルスルホキシド、プロピレンカーボネート、または、それらの組み合わせのうちの１または複数を含み、
前記誘電体エッチャントは、１から１００ｍＭの濃度で存在し、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、または、それらの混合物のうちの１または複数を含み、
前記界面活性剤は、２０００ｐｐｍ未満の濃度で存在し、陰イオン界面活性剤、陽イオン界面活性剤、非イオン界面活性剤、両性界面活性剤、または、それらの組み合わせのうちの少なくとも１つを含み、
前記洗浄水溶液は、３以下のｐＨを有する、
洗浄水溶液。
【請求項２】
コバルトまたはコバルト合金キャップを誘電体構造の金属線に無電解に蒸着した後に、前記無電解蒸着されたコバルトまたはコバルト合金キャップ付き前記誘電体構造から金属汚染物質を除去するための洗浄水溶液であって、
ｐＨ調整剤と、
フィチン酸を含む錯化剤と、
前記誘電体構造における金属線上に無電解蒸着されたコバルトまたはコバルト合金キャップを保護することができる腐食防止剤と、
１または複数の
ジメチルスルホキシド、エチレングリコール、プロピレングリコール、２−ｎ−ブトキシエタノール、もしくは、イソプロピルアルコールのうちの１または複数を含む可溶化剤と、
誘電体エッチャントと、
界面活性剤と、を含み、
前記洗浄水溶液は、前記誘電体構造から金属イオンを除去することができる、
洗浄水溶液。
【請求項３】
コバルトまたはコバルト合金キャップを誘電体構造の金属線に無電解に蒸着した後に、前記無電解蒸着されたコバルトまたはコバルト合金キャップ付き前記誘電体構造から金属汚染物質を除去するための洗浄水溶液であって、
次亜リン酸、スクアリン酸、ジヒドロキシフマル酸、または、それらの混合物を含むｐＨ調整剤と、
フィチン酸を含む錯化剤と、
前記誘電体構造における金属線上に無電解蒸着されたコバルトまたはコバルト合金キャップを保護することができる腐食防止剤と、
１または複数の
可溶化剤と、
誘電体エッチャントと、
界面活性剤と、を含み、
前記洗浄水溶液は、前記誘電体構造から金属イオンを除去することができる、
洗浄水溶液。
【請求項４】
請求項３に記載の洗浄水溶液であって、
前記錯化剤は、さらに、カルボン酸、ヒドロキシカルボン酸、クエン酸、シュウ酸、ホスホン酸、ヒドロキシエチリデンジホスホン酸、または、それらの混合物のうちの少なくとも１つを含み、
前記腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、または、それらの組み合わせのうちの少なくとも１つを含み、
前記可溶化剤は、ジメチルスルホキシド、エチレングリコール、プロピレングリコール、２−ｎ−ブトキシエタノール、または、イソプロピルアルコールのうちの１または複数を含み、
前記誘電体エッチャントは、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、または、それらの混合物のうちの１または複数を含み、
前記界面活性剤は、陰イオン界面活性剤、陽イオン界面活性剤、非イオン界面活性剤、両性界面活性剤、または、それらの組み合わせのうちの少なくとも１つを含み、
前記洗浄水溶液は、３以下のｐＨを有する、
洗浄水溶液。
【請求項５】
請求項３に記載の洗浄水溶液であって、
前記ｐＨ調整剤は、０．１Ｍ未満の濃度を有し、
前記錯化剤は、０．１から２００ｍＭの濃度を有し、さらに、カルボン酸、ヒドロキシカルボン酸、クエン酸、シュウ酸、ホスホン酸、ヒドロキシエチリデンジホスホン酸、フィチン酸、または、それらの組み合わせのうちの少なくとも１つを含み、
前記腐食防止剤は、０．１から５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、または、それらの組み合わせのうちの少なくとも１つを含み、
前記可溶化剤は、２００ｍＬ／Ｌ未満の濃度で存在し、第一級アルコール、第二級アルコール、第三級アルコール、ポリオール、エチレングリコール、プロピレングリコール、２−ｎ−ブトキシエタノール、ジメチルスルホキシド、プロピレンカーボネート、または、それらの組み合わせのうちの１または複数を含み、
前記誘電体エッチャントは、１から１００ｍＭの濃度で存在し、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、または、それらの混合物のうちの１または複数を含み、
前記界面活性剤は、２０００ｐｐｍ未満の濃度で存在し、陰イオン界面活性剤、陽イオン界面活性剤、非イオン界面活性剤、両性界面活性剤、または、それらの組み合わせのうちの少なくとも１つを含み、
前記洗浄水溶液は、３以下のｐＨを有する、
洗浄水溶液。
【請求項６】
請求項３に記載の洗浄水溶液であって、前記錯化剤は、さらに、
カルボン酸、ヒドロキシカルボン酸、クエン酸、シュウ酸、ホスホン酸、ヒドロキシエチリデンジホスホン酸、または、それらの混合物のうちの少なくとも１つを含む、洗浄水溶液。
【請求項７】
請求項３に記載の洗浄水溶液であって、前記腐食防止剤は、
トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、または、それらの組み合わせのうち少なくとも１つを含む、洗浄水溶液。
【請求項８】
請求項３に記載の洗浄水溶液であって、前記誘電体エッチャントは、
フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、または、それらの混合物のうちの１または複数を含む、洗浄水溶液。
【請求項９】
請求項３に記載の洗浄水溶液であって、前記可溶化剤は、
ジメチルスルホキシド、エチレングリコール、プロピレングリコール、２−ｎ−ブトキシエタノール、もしくは、イソプロピルアルコールのうちの１または複数を含む、洗浄水溶液。
【請求項１０】
請求項３に記載の洗浄水溶液であって、
前記ｐＨ調整剤は、０から０．１Ｍの濃度を有し、
前記錯化剤は、０．１から２００ｍＭの濃度を有し、
前記腐食防止剤は、０．１から５０ｍＭの濃度を有し、
前記可溶化剤は、０から２００ｍＬ／Ｌの濃度を有し、
前記誘電体エッチャントは、１から１００ｍＭの濃度を有し、
前記界面活性剤は、０から２０００ｐｐｍの濃度を有し、
前記洗浄水溶液は、３以下のｐＨを有する、洗浄水溶液。
【請求項１１】
コバルトまたはコバルト合金キャップを誘電体構造の金属線に無電解に蒸着した後に、前記無電解蒸着されたコバルトまたはコバルト合金キャップ付き前記誘電体構造から金属汚染物質を除去するための洗浄水溶液であって、
ｐＨ調整剤と、
フィチン酸を含む錯化剤と、
前記誘電体構造における金属線上に無電解蒸着されたコバルトまたはコバルト合金キャップを保護することができる腐食防止剤と、
１または複数の
可溶化剤と、を含み、
前記ｐＨ調整剤は、０．１Ｍ未満の濃度を有し、次亜リン酸、スクアリン酸、ジヒドロキシフマル酸、マレイン酸、または、それらの混合物を含み、
前記錯化剤は、０．１から２００ｍＭの濃度を有し、
誘電体エッチャントが、１から１００ｍＭの濃度で存在し、テトラフルオロホウ酸水素、ヘキサフルオロケイ酸水素、非アルカリ金属テトラフルオロホウ酸塩、非アルカリ金属ヘキサフルオロケイ酸塩、および、それらの混合物のうちの１または複数を含み、
前記洗浄水溶液は、３以下のｐＨを有する、洗浄水溶液。
【誤訳訂正３】
【訂正対象書類名】明細書
【訂正対象項目名】００２７
【訂正方法】変更
【訂正の内容】
【００２７】
洗浄溶液であって、腐食防止剤はトリアゾール化合物を含み；可溶化剤は、ジメチルスルホキシド、エチレングリコール、および、イソプロピルアルコールのうちの１または複数を含み；脱酸素剤はＬ−アスコルビン酸を含み；錯化剤は、シュウ酸、ピロリン酸、ヒドロキシエチリデンジホスホン酸、フィチン酸、マロン酸、マレイン酸、または、それらの混合物を含む、洗浄溶液。洗浄溶液であって、腐食防止剤はトルオールトリアゾールまたはベンゾトリアゾールを含み；可溶化剤は、ジメチルスルホキシド、エチレングリコール、および、イソプロピルアルコールのうちの１または複数を含み；脱酸素剤はＬ−アスコルビン酸を含み；錯化剤はシュウ酸を含む、洗浄溶液。洗浄溶液であって、腐食防止剤は、０．１から１００００ｐｐｍまでの範囲およびその範囲に含まれるすべての部分範囲の濃度のトリアゾール化合物を含み；脱酸素剤はＬ−アスコルビン酸を含み；錯化剤はシュウ酸を含む、洗浄溶液。洗浄溶液であって、腐食防止剤は、１００から２０００ｐｐｍまでの範囲およびその範囲に含まれるすべての部分範囲の濃度のトリアゾール化合物を含み；脱酸素剤はＬ−アスコルビン酸を含み；錯化剤はシュウ酸を含む、洗浄溶液。
【誤訳訂正４】
【訂正対象書類名】明細書
【訂正対象項目名】００４０
【訂正方法】変更
【訂正の内容】
【００４０】
一般に、本発明の実施形態に従った洗浄溶液は、ｐＨを所望のレベルに維持するために、有効量のｐＨ調整剤を含む。必要とされる具体的な量は、ｐＨ調整剤の特性に依存する。本発明のいくつかの実施形態について、ｐＨ調整剤の量は、約０Ｍから約０．１Ｍの濃度、または、ポリマー酸の場合には５０ｇ／Ｌである。
【誤訳訂正５】
【訂正対象書類名】明細書
【訂正対象項目名】００４６
【訂正方法】変更
【訂正の内容】
【００４６】
誘電体エッチャント
一つの選択肢として、本発明のいくつかの実施形態に従った洗浄溶液は、１または複数の誘電体エッチャントを含んでもよい。誘電体エッチャントは、洗浄溶液によって洗浄される基板の誘電体層をエッチングすることができる洗浄溶液の成分である。誘電体エッチャントは、基板からの汚染物質の除去を円滑にするために提供される。上述のように、誘電体層は、通例、電子デバイス製造で利用される誘電体である。典型的な誘電体層は、ケイ素および酸素を含む。本発明の１または複数の実施形態は、炭素ドープ酸化ケイ素などの低誘電体のための誘電体エッチャントを含む。本発明の実施形態のための誘電体エッチャントのリストは、以下を含むがこれらに限定されない：フッ化水素、テトラフルオロホウ酸水素、ヘキサフルオロケイ酸水素、非アルカリ金属フッ化物、非アルカリ金属テトラフルオロホウ酸塩、および、非アルカリ金属ヘキサフルオロケイ酸塩などの化合物。
【誤訳訂正６】
【訂正対象書類名】明細書
【訂正対象項目名】００５２
【訂正方法】変更
【訂正の内容】
【００５２】
洗浄溶液であって、誘電体エッチャントは、ケイ素酸素化合物をエッチングする、洗浄溶液。洗浄溶液であって、誘電体エッチャントは、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物のうちの１または複数を含む、洗浄溶液。
【誤訳訂正７】
【訂正対象書類名】明細書
【訂正対象項目名】００５４
【訂正方法】変更
【訂正の内容】
【００５４】
洗浄水溶液であって、ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み；錯化剤は、シュウ酸、クエン酸、ヒドロキシエチリデンジホスホン酸、フィチン酸、または、それらの混合物を含み；腐食防止剤は、トリアゾール、ベンゾトリアゾール、メチルベンゾトリアゾール、５ーメチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み；可溶化剤は、ジメチルスルホキシド、エチレングリコール、および、イソプロピルアルコールのうちの１または複数を含み；誘電体エッチャントは、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物のうちの１または複数を含み；界面活性剤は、陰イオン界面活性剤、陽イオン界面活性剤、非イオン界面活性剤、両性界面活性剤、または、それらの組み合わせを含み；洗浄水溶液は、３以下のｐＨを有する、洗浄水溶液。
【誤訳訂正８】
【訂正対象書類名】明細書
【訂正対象項目名】００５６
【訂正方法】変更
【訂正の内容】
【００５６】
洗浄水溶液であって、ｐＨ調整剤は、約０．１Ｍ未満の濃度を有し、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み；錯化剤は、約０．１ｍＭから約２００ｍＭの濃度を有し、カルボン酸、ヒドロキシカルボン酸、クエン酸、シュウ酸、ホスホン酸、ヒドロキシエチリデンジホスホン酸、フィチン酸、および、それらの組み合わせを含み；腐食防止剤は、約０．１ｍＭから約５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み；可溶化剤は、２００ｍＬ／Ｌ未満の濃度を有し、第一級アルコール、第二級アルコール、第三級アルコール、ポリオール、エチレングリコール、プロピレングリコール、２−ｎ−ブトキシエタノール、ジメチルスルホキシド、プロピレンカーボネート、および、それらの組み合わせのうちの１または複数を含み；誘電体エッチャントは、約１ｍＭから約１００ｍＭの濃度を有し、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物のうちの１または複数を含み；界面活性剤は、約２０００ｐｐｍ未満の濃度を有し、陰イオン界面活性剤、陽イオン界面活性剤、非イオン界面活性剤、両性界面活性剤、または、それらの組み合わせを含み；洗浄水溶液は、３以下のｐＨを有する、洗浄水溶液。
【誤訳訂正９】
【訂正対象書類名】明細書
【訂正対象項目名】００６０
【訂正方法】変更
【訂正の内容】
【００６０】
本明細書では、具体的な実施形態を参照しつつ、本発明を説明している。しかしながら、当業者は、以下の特許請求の範囲に記載の本発明の範囲から逸脱することなく、様々な変形例および変更例が可能であることを理解すべきである。したがって、本明細書は、例示を目的としたものであり、限定を意図したものではないと見なされるべきであり、かかる変形例すべてが、本発明の範囲に含まれるよう意図されている。例えば、本発明は、以下の適用例としても実現可能である。
［適用例１］
洗浄溶液であって、
腐食防止剤と、
可溶化剤と、
脱酸素剤と、
ｐＨ調整剤としても機能する錯化剤と、を含む、洗浄溶液。
［適用例２］
適用例１に記載の洗浄溶液であって、前記腐食防止剤はトリアゾール化合物である、洗浄溶液。
［適用例３］
適用例１に記載の洗浄溶液であって、前記腐食防止剤はトルオールトリアゾールまたはベンゾトリアゾールを含む、洗浄溶液。
［適用例４］
適用例１に記載の洗浄溶液であって、前記腐食防止剤は、０．１から１００００ｐｐｍまでの範囲およびその範囲に含まれるすべての部分範囲の濃度で存在する、洗浄溶液。
［適用例５］
適用例１に記載の洗浄溶液であって、前記腐食防止剤は、１００から２０００ｐｐｍまでの範囲およびその範囲に含まれるすべての部分範囲の濃度で存在する、洗浄溶液。
［適用例６］
適用例１に記載の洗浄溶液であって、前記腐食防止剤は、０．１から１００００ｐｐｍまでの範囲およびその範囲に含まれるすべての部分範囲の濃度のトリアゾール化合物を含む、洗浄溶液。
［適用例７］
適用例１に記載の洗浄溶液であって、前記腐食防止剤は、１００から２０００ｐｐｍまでの範囲およびその範囲に含まれるすべての部分範囲の濃度のトリアゾール化合物を含む、洗浄溶液。
［適用例８］
適用例１に記載の洗浄溶液であって、前記脱酸素剤は、Ｌ−アスコルビン酸、Ｄ−アスコルビン酸、アスコルビン酸の誘導体、クロロゲン酸、コーヒー酸、ルテオリン、亜硫酸塩、亜硫酸アンモニウム、および、亜硫酸テトラメチルアンモニウムのうちの１または複数を含む、洗浄溶液。
［適用例９］
適用例１に記載の洗浄溶液であって、前記腐食防止剤はトリアゾール化合物を含み、前記脱酸素剤はＬ−アスコルビン酸を含む、洗浄溶液。
［適用例１０］
適用例１に記載の洗浄溶液であって、前記腐食防止剤はトルオールトリアゾールまたはベンゾトリアゾールを含み、前記脱酸素剤はＬ−アスコルビン酸を含む、洗浄溶液。
［適用例１１］
適用例１に記載の洗浄溶液であって、前記腐食防止剤は、０．１から１００００ｐｐｍまでの範囲およびその範囲に含まれるすべての部分範囲の濃度のトリアゾール化合物を含み、前記脱酸素剤はＬ−アスコルビン酸を含む、洗浄溶液。
［適用例１２］
適用例１に記載の洗浄溶液であって、前記腐食防止剤は、１００から２０００ｐｐｍまでの範囲およびその範囲に含まれるすべての部分範囲の濃度のトリアゾール化合物を含み、前記脱酸素剤はＬ−アスコルビン酸を含む、洗浄溶液。
［適用例１３］
適用例１に記載の洗浄溶液であって、前記脱酸素剤は、０から１００００ｐｐｍまでの範囲およびその範囲に含まれるすべての部分範囲の濃度のＬ−アスコルビン酸を含む、洗浄溶液。
［適用例１４］
適用例１に記載の洗浄溶液であって、前記脱酸素剤は、１０００から５０００ｐｐｍまでの範囲およびその範囲に含まれるすべての部分範囲の濃度のＬ−アスコルビン酸を含む、洗浄溶液。
［適用例１５］
適用例１に記載の洗浄溶液であって、前記錯化剤は、シュウ酸、ピロリン酸、ヒドロキシエチリデンジホスホン酸、フィチン酸、マロン酸、マレイン酸、または、それらの混合物を含む、洗浄溶液。
［適用例１６］
適用例１に記載の洗浄溶液であって、前記可溶化剤は、第一級アルコール、第二級アルコール、第三級アルコール、ポリオール、エチレングリコール、プロピレングリコール、２−ｎ−ブトキシエタノール、ジメチルスルホキシド、プロピレンカーボネート、または、それらの組み合わせを含む、洗浄溶液。
［適用例１７］
適用例１に記載の洗浄溶液であって、前記可溶化剤はジメチルスルホキシドを含む、洗浄溶液。
［適用例１８］
適用例１に記載の洗浄溶液であって、前記可溶化剤はイソプロピルアルコールを含む、洗浄溶液。
［適用例１９］
適用例１に記載の洗浄溶液であって、
前記腐食防止剤はトリアゾール化合物を含み、
前記可溶化剤は、ジメチルスルホキシド、エチレングリコール、プロピレングリコール、２−ｎ−ブトキシエタノール、および、イソプロピルアルコールのうちの１または複数を含み、
前記脱酸素剤はＬ−アスコルビン酸を含み、
前記錯化剤はシュウ酸を含む、洗浄溶液。
［適用例２０］
適用例１に記載の洗浄溶液であって、前記腐食防止剤はトルオールトリアゾールまたはベンゾトリアゾールを含み；前記可溶化剤は、ジメチルスルホキシド、エチレングリコール、および、イソプロピルアルコールのうちの１または複数を含み；前記脱酸素剤はＬ−アスコルビン酸を含み；前記錯化剤はシュウ酸を含む、洗浄溶液。
［適用例２１］
適用例１に記載の洗浄溶液であって、前記腐食防止剤は、０．１から１００００ｐｐｍまでの範囲およびその範囲に含まれるすべての部分範囲の濃度のトリアゾール化合物を含み；前記脱酸素剤はＬ−アスコルビン酸を含み；前記錯化剤はシュウ酸を含む、洗浄溶液。
［適用例２２］
適用例１に記載の洗浄溶液であって、前記腐食防止剤は、１００から２０００ｐｐｍまでの範囲およびその範囲に含まれるすべての部分範囲の濃度のトリアゾール化合物を含み、前記脱酸素剤はＬ−アスコルビン酸を含み、前記錯化剤はシュウ酸を含む、洗浄溶液。
［適用例２３］
適用例１に記載の洗浄溶液であって、前記脱酸素剤は、０から１００００ｐｐｍまでの範囲およびその範囲に含まれるすべての部分範囲の濃度のＬ−アスコルビン酸を含み；前記錯化剤はシュウ酸を含む、洗浄溶液。
［適用例２４］
適用例１に記載の洗浄溶液であって、前記脱酸素剤は、１０００から５０００ｐｐｍまでの範囲およびその範囲に含まれるすべての部分範囲の濃度のＬ−アスコルビン酸を含み；前記錯化剤はシュウ酸を含む、洗浄溶液。
［適用例２５］
適用例１に記載の洗浄溶液であって、前記錯化剤は、シュウ酸、ピロリン酸、ヒドロキシエチリデンジホスホン酸、フィチン酸、マロン酸、マレイン酸、または、それらの混合物を、２から５０ｇ／Ｌの範囲およびその範囲に含まれるすべての部分範囲の濃度で含む、洗浄溶液。
［適用例２６］
適用例１に記載の洗浄溶液であって、
前記腐食防止剤は、０．１から１００００ｐｐｍまでの範囲およびその範囲に含まれるすべての部分範囲の濃度のトリアゾール化合物を含み、
前記可溶化剤は、ジメチルスルホキシド、エチレングリコール、および、イソプロピルアルコールのうちの１または複数を、２００ｍＬ／Ｌまでの濃度で含み、
前記脱酸素剤は、０から１００００ｐｐｍまでの範囲およびその範囲に含まれるすべての部分範囲の濃度のＬ−アスコルビン酸を含み、
前記錯化剤は、０．５から２０ｇ／Ｌまでの範囲およびその範囲に含まれるすべての部分範囲の濃度のシュウ酸を含む、洗浄溶液。
［適用例２７］
適用例１に記載の洗浄溶液であって、
前記腐食防止剤は、１００から２０００ｐｐｍまでの範囲およびその範囲に含まれるすべての部分範囲の濃度のトリアゾール化合物を含み、
前記可溶化剤は、ジメチルスルホキシド、エチレングリコール、および、イソプロピルアルコールのうちの１または複数を、１から２００ｍＬ／Ｌまでの範囲およびその範囲に含まれるすべての部分範囲の濃度で含み、
前記脱酸素剤は、１０００から５０００ｐｐｍの間の範囲およびその範囲に含まれるすべての部分範囲の濃度のＬ−アスコルビン酸を含み、
前記錯化剤は、０．５から２０ｇ／Ｌまでの範囲およびその範囲に含まれるすべての部分範囲の濃度のシュウ酸を含む、洗浄溶液。
［適用例２８］
適用例１に記載の洗浄溶液であって、
前記腐食防止剤は、１ｇ／Ｌの濃度の５−メチルベンゾトリアゾールを含み、
前記可溶化剤は、５０ｍＬ／Ｌの濃度のエチレングリコールを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
［適用例２９］
適用例１に記載の洗浄溶液であって、前記腐食防止剤はトリアゾール化合物であり、前記可溶化剤は、ジメチルスルホキシド、エチレングリコール、および、イソプロピルアルコールのうちの１または複数を含む、洗浄溶液。
［適用例３０］
適用例１に記載の洗浄溶液であって、前記腐食防止剤はトルオールトリアゾールまたはベンゾトリアゾールを含み、前記可溶化剤は、ジメチルスルホキシド、エチレングリコール、および、イソプロピルアルコールのうちの１または複数を含む、洗浄溶液。
［適用例３１］
適用例１に記載の洗浄溶液であって、前記腐食防止剤は、０．１から１００００ｐｐｍまでの範囲およびその範囲に含まれるすべての部分範囲の濃度で存在し、前記可溶化剤は、２００ｍＬ／Ｌまでの濃度で存在する、洗浄溶液。
［適用例３２］
適用例１に記載の洗浄溶液であって、前記腐食防止剤は、１００から２０００ｐｐｍまでの範囲およびその範囲に含まれるすべての部分範囲の濃度で存在し、前記可溶化剤は、１から２００ｍＬ／Ｌの範囲およびその範囲に含まれるすべての部分範囲の濃度で存在する、洗浄溶液。
［適用例３３］
適用例１に記載の洗浄溶液であって、前記腐食防止剤は、０．１から１００００ｐｐｍまでの範囲およびその範囲に含まれるすべての部分範囲の濃度のトリアゾール化合物を含み、前記可溶化剤は、ジメチルスルホキシド、エチレングリコール、および、イソプロピルアルコールのうちの１または複数を、５０ｍＬ／Ｌまでの濃度で含む、洗浄溶液。
［適用例３４］
適用例１に記載の洗浄溶液であって、前記腐食防止剤は、１００から２０００ｐｐｍまでの範囲およびその範囲に含まれるすべての部分範囲の濃度のトリアゾール化合物を含み、前記可溶化剤は、ジメチルスルホキシド、エチレングリコール、および、イソプロピルアルコールのうちの１または複数を、１から２００ｍＬ／Ｌまでの範囲およびその範囲に含まれるすべての部分範囲の濃度で含む、洗浄溶液。
［適用例３５］
適用例１に記載の洗浄溶液であって、
前記腐食防止剤は、１ｇ／Ｌの濃度の５−メチルベンゾトリアゾールを含み、
前記可溶化剤は、５０ｍＬ／Ｌの濃度のイソプロピルアルコールを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
［適用例３６］
適用例１に記載の洗浄溶液であって、
前記腐食防止剤は、１ｇ／Ｌの濃度の５−メチルベンゾトリアゾールを含み、
前記可溶化剤は、１０００ｍＬ／Ｌまでの濃度のジメチルスルホキシドを含み、
前記脱酸素剤は、１ｇ／Ｌの濃度のＬ（＋）−アスコルビン酸を含み、
前記錯化剤は、１０ｇ／Ｌの濃度のシュウ酸二水和物を含む、洗浄溶液。
［適用例３７］
適用例１に記載の洗浄溶液であって、前記脱酸素剤は、Ｄ−アスコルビン酸、アスコルビン酸の誘導体、および／または、亜硫酸塩を含む、洗浄溶液。
［適用例３８］
洗浄溶液であって、
ｐＨ調整剤と、
錯化剤と、
腐食防止剤と、を含み、
前記洗浄溶液は、３以下のｐＨを有する、洗浄溶液。
［適用例３９］
適用例３８に記載の洗浄溶液であって、前記ｐＨは２以下である、洗浄溶液。
［適用例４０］
適用例３８に記載の洗浄溶液であって、さらに、可溶化剤を含む、洗浄溶液。
［適用例４１］
適用例３８に記載の洗浄溶液であって、さらに、前記腐食防止剤を可溶化することができる可溶化剤を含む、洗浄溶液。
［適用例４２］
適用例３８に記載の洗浄溶液であって、さらに、界面活性剤を含む、洗浄溶液。
［適用例４３］
適用例３８に記載の洗浄溶液であって、さらに、誘電体エッチャントを含む、洗浄溶液。
［適用例４４］
適用例３８に記載の洗浄溶液であって、さらに、可溶化剤および界面活性剤を含む、洗浄溶液。
［適用例４５］
適用例３８に記載の洗浄溶液であって、さらに、
可溶化剤、誘電体エッチャント、および、界面活性剤のうちの１または複数を含む、洗浄溶液。
［適用例４６］
適用例３８に記載の洗浄溶液であって、前記錯化剤は、カルボン酸、ヒドロキシカルボン酸、クエン酸、シュウ酸、ホスホン酸、ヒドロキシエチリデンジホスホン酸、フィチン酸、または、それらの混合物を含む、洗浄溶液。
［適用例４７］
適用例３８に記載の洗浄溶液であって、ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含む、洗浄溶液。
［適用例４８］
適用例３８に記載の洗浄溶液であって、前記ｐＨ調整剤は、２以下のｐＫaを有する１または複数の酸を含み、前記１または複数の酸は、前記洗浄溶液を３以下のｐＨに調整することができる、洗浄溶液。
［適用例４９］
適用例３８に記載の洗浄溶液であって、前記ｐＨ調整剤は、１．５以下のｐＫaを有する１または複数の酸を含み、前記１または複数の酸は、前記洗浄溶液を３以下のｐＨに調整することができる、洗浄溶液。
［適用例５０］
適用例３８に記載の洗浄溶液であって、前記腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせのうちの１または複数を含む、洗浄溶液。
［適用例５１］
適用例３８に記載の洗浄溶液であって、さらに、第一級アルコール、第二級アルコール、第三級アルコール、ポリオール、エチレングリコール、ジメチルスルホキシド、プロピレンカーボネート、および、それらの組み合わせからなる群より選択された可溶化剤を含む、洗浄溶液。
［適用例５２］
適用例３８に記載の洗浄溶液であって、さらに、エチレングリコールを含む、洗浄溶液。
［適用例５３］
適用例３８に記載の洗浄溶液であって、さらに、イソプロピルアルコールを含む、洗浄溶液。
［適用例５４］
適用例３８に記載の洗浄溶液であって、さらに、ジメチルスルホキシドを含む、洗浄溶液。
［適用例５５］
適用例３８に記載の洗浄溶液であって、さらに、陰イオン界面活性剤、陽イオン界面活性剤、非イオン界面活性剤、両性界面活性剤、および、それらの組み合わせからなる群より選択された界面活性剤を含む、洗浄溶液。
［適用例５６］
適用例３８に記載の洗浄溶液であって、さらに、硫酸塩および／またはスルホン酸塩を含む界面活性剤を含む、洗浄溶液。
［適用例５７］
適用例３８に記載の洗浄溶液であって、さらに、ケイ素酸素化合物をエッチングすることができる誘電体エッチャントを含む、洗浄溶液。
［適用例５８］
適用例３８に記載の洗浄溶液であって、さらに、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物からなる群より選択された誘電体エッチャントを含む、洗浄溶液。
［適用例５９］
洗浄水溶液であって、
ｐＨ調整剤と、
錯化剤と、
腐食防止剤と、
可溶化剤、誘電体エッチャント、および、界面活性剤のうちの１または複数と、を含む、洗浄水溶液。
［適用例６０］
適用例５９に記載の洗浄水溶液であって、前記ｐＨ調整剤は実質的に非錯化性である、洗浄水溶液。
［適用例６１］
適用例５９に記載の洗浄水溶液であって、前記ｐＨ調整剤は第１の酸を含み、前記錯化剤は第２の酸を含む、洗浄水溶液。
［適用例６２］
適用例５９に記載の洗浄水溶液であって、
前記ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、カルボン酸、ヒドロキシカルボン酸、クエン酸、シュウ酸、ホスホン酸、ヒドロキシエチリデンジホスホン酸、フィチン酸、または、それらの混合物を含む、洗浄水溶液。
［適用例６３］
適用例５９に記載の洗浄水溶液であって、前記ｐＨ調整剤は強酸を含む、洗浄水溶液。
［適用例６４］
適用例５９に記載の洗浄水溶液であって、
前記ｐＨ調整剤は、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、カルボン酸、ヒドロキシカルボン酸、クエン酸、シュウ酸、ホスホン酸、ヒドロキシエチリデンジホスホン酸、フィチン酸、または、それらの混合物を含み、
前記腐食防止剤は、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、および、それらの組み合わせを含み、
前記可溶化剤は、ジメチルスルホキシド、エチレングリコール、プロピレングリコール、２−ｎ−ブトキシエタノール、および、イソプロピルアルコールのうちの１または複数を含むものであり、
前記誘電体エッチャントは、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物のうちの１または複数を含むものであり、
前記界面活性剤は、陰イオン界面活性剤、陽イオン界面活性剤、非イオン界面活性剤、両性界面活性剤、または、それらの組み合わせを含むものであり、
前記洗浄水溶液は、３以下のｐＨを有する、洗浄水溶液。
［適用例６５］
適用例５９に記載の洗浄水溶液であって、
前記ｐＨ調整剤は、０から０．１Ｍの間の範囲およびその範囲に含まれるすべての範囲の濃度を有し、
前記錯化剤は、０．１から２００ｍＭの間の範囲およびその範囲に含まれるすべての範囲の濃度を有し、
前記腐食防止剤は、０．１から５０ｍＭの間の範囲およびその範囲に含まれるすべての範囲の濃度を有し、
前記可溶化剤は、０から２００ｍＬ／Ｌの間の範囲およびその範囲に含まれるすべての範囲の濃度を有し、
前記誘電体エッチャントは、１から１００ｍＭの間の範囲およびその範囲に含まれるすべての範囲の濃度を有し、
前記界面活性剤は、０から２０００ｐｐｍの間の範囲およびその範囲に含まれるすべての範囲の濃度を有し、
前記洗浄水溶液は、３以下のｐＨを有する、洗浄水溶液。
［適用例６６］
適用例５９に記載の洗浄水溶液であって、
前記ｐＨ調整剤は、０．１Ｍ未満の濃度を有し、硫酸、スルホン酸、メタンスルホン酸、ベンゼンスルホン酸、トリフル酸、次亜リン酸、シュウ酸、ハロゲン化カルボン酸、トリフルオロ酢酸、アセチレンジカルボン酸、スクアリン酸、ジヒドロキシフマル酸、マレイン酸、または、それらの混合物を含み、
前記錯化剤は、０．１から２００ｍＭの濃度を有し、カルボン酸、ヒドロキシカルボン酸、クエン酸、シュウ酸、ホスホン酸、ヒドロキシエチリデンジホスホン酸、フィチン酸、または、それらの組み合わせを含み、
前記腐食防止剤は、０．１から５０ｍＭの濃度を有し、トリアゾール、ベンゾトリアゾール、メチルベンゾトリアゾール、５−メチルベンゾトリアゾール、カルボキシベンゾトリアゾール、ヒドロキシベンゾトリアゾール、メルカプトベンゾチアゾール、ポリビニルピロリドン、ポリビニルアルコール、ポリアミン、ポリイミン、ポリアルキルイミン、ポリエチレンイミン、長鎖アルキルアミン、テトラゾール、リン酸塩、無機リン酸塩、アルキルリン酸塩、オルトリン酸塩、メタリン酸塩、亜リン酸塩、ホスホン酸塩、フルオロアルキルリン酸塩、ケイ酸塩、アルキルホスホン酸塩、フルオロアルキルホスホン酸塩、アルコキシシラン、亜硝酸塩、ジシクロヘキシルアンモニウム亜硝酸塩、それらの誘導体、または、それらの組み合わせを含み、
前記可溶化剤は、２００ｍＬ／Ｌ未満の濃度で存在し、第一級アルコール、第二級アルコール、第三級アルコール、ポリオール、エチレングリコール、プロピレングリコール、２−ｎ−ブトキシエタノール、ジメチルスルホキシド、プロピレンカーボネート、および、それらの組み合わせのうちの１または複数を含むものであり、
前記誘電体エッチャントは、１から１００ｍＭの濃度で存在し、フッ化水素、テトラフルオロホウ酸水素、ヘキサフルオロケイ酸水素、非アルカリ金属フッ化物、非アルカリ金属テトラフルオロホウ酸塩、非アルカリ金属ヘキサフルオロケイ酸塩、および、それらの混合物のうちの１または複数を含むものであり、
前記界面活性剤は、２０００ｐｐｍ未満の濃度で存在し、陰イオン界面活性剤、陽イオン界面活性剤、非イオン界面活性剤、両性界面活性剤、または、それらの組み合わせを含むものであり、
前記洗浄水溶液は、３以下のｐＨを有する、洗浄水溶液。
【外国語明細書】
2017025326000001.pdf
2017025326000002.pdf
2017025326000003.pdf